(57)【要約】【課題】外郭が板金で構成されたレンジフードにおいて、操作パネルや表示部に凹凸部分があると掃除のときに邪魔になる、または凹凸部分に汚れが残る、という課題がある。【解決手段】外郭１を板金で構成したレンジフードにおいて、外郭１の前面の一部に１枚の平板２で構成した操作パネル３を設け、操作パネル３の内部側に圧電スイッチ４を取付け、かつ、表示部５を操作パネル３以外の場所に設けたので、操作パネル３に汚れが残ることがなくなり掃除性を向上させることができる。【選択図】図２
2016065688.tif 000002
【特許請求の範囲】
【請求項１】
下面に吸込口を設け、加熱調理器の上方に設置されるレンジフードであって、
外郭の略全体を金属板で構成し、
前記外郭の前面の一部に１枚の平板で構成した操作パネルを設け、
前記操作パネルの裏側に圧電素子を用いた操作スイッチを取り付け、
前記外郭の前面には、前記操作パネル以外の部分に運転状態を表示する表示部を設けたレンジフード。
【請求項２】
前記表示部は外郭の前面の一部を開口部とした部分に設けることを特徴とする請求項１記載のレンジフード。
【請求項３】
前記表示部は外郭の前面を一体とした１枚の金属板で構成し、その一部の開口部とした部分に設けることを特徴とする請求項１記載のレンジフード。
【請求項４】
前記表示部には表示部を覆うように透明のカバーを設けることを特徴とする請求項１記載のレンジフード。
【発明の詳細な説明】
【技術分野】
【０００１】
本発明は、キッチンの空気中に含まれるゴミ、埃、ダニの死骸、油成分等をフィルタで除去し、清浄空気を屋外へ排出するレンジフードに関するものである。
【背景技術】
【０００２】
従来のレンジフードは図７に示すように、レンジフード本体１０１の前面に前面板１０２が取り付けられていて、その前面板１０２に操作スイッチ１０３が取り付けられている。
【０００３】
操作スイッチ１０３は図８に示すように、前面板１０２に形成した凹部の底面に窓孔を設け、同凹部底面の裏側と当板１０４との間に操作スイッチ１０３をはさんで固定し、この操作スイッチ１０３を前記窓孔から外方へ臨ませたものである。
【０００４】
当板１０４はその中間部に操作スイッチ１０３の下部シート１０５を収容する段部が形成され、且つ上下両端部において前面板１０２裏面に着脱可能にネジ止めされている。
【０００５】
こうすることで操作スイッチが前面板より突出しなくなるため、前面板の掃除時に邪魔がなくなり掃除性が向上する、というものである。（例えば、特許文献１参照）。
【先行技術文献】
【特許文献】
【０００６】
【特許文献１】実開昭６１−１０４１３３号公報
【発明の概要】
【発明が解決しようとする課題】
【０００７】
このような従来のレンジフードでは、凸部がなくなり掃除の邪魔はなくなるが、操作スイッチ自体が凹部となるためそこに拭き残しの汚れが残る、という課題があった。
【０００８】
そこで本発明では、操作スイッチとして操作パネルの裏側に圧電素子を用い、また操作パネル以外の部分に表示部を設けることにより操作パネルを１枚の平板で設けるようにする。
【０００９】
この構成により操作パネルの凹凸をなくすことでき、掃除性を向上させたレンジフードを提供することができる。
【課題を解決するための手段】
【００１０】
本発明のレンジフードは、
下面に吸込口を設け、加熱調理器の上方に設置されるレンジフードであって、
外郭の略全体を金属板で構成し、
前記外郭の前面の一部に１枚の平板で構成した操作パネルを設け、
前記操作パネルの裏側に圧電素子を用いた操作スイッチを取り付け、
前記外郭の前面には、前記操作パネル以外の部分に運転状態を表示する表示部を設けた  ことを特徴としたものである。
【発明の効果】
【００１１】
スイッチに圧電素子を使い、穴加工が必要となる表示部を操作パネル以外の部分に配置することにより、操作パネルの表面を平面とでき掃除性を確保することができる。
【図面の簡単な説明】
【００１２】
【図１】本発明の実施の形態１のレンジフードの構造を示した概略図
【図２】同、操作パネルの断面図
【図３】同、別の例の構造を示した概略図
【図４】同、別の例の操作パネルの断面図
【図５】同、別の例の構造を示した概略図
【図６】同、別の例の操作パネルの断面図
【図７】従来のレンジフードの概観図
【図８】従来のレンジフードのスイッチ部の断面図
【発明を実施するための形態】
【００１３】
本発明の請求項１記載のレンジフードは、下面に吸込口を設け、加熱調理器の上方に設置されるレンジフードであって、外郭の略全体を金属板で構成し、前記外郭の前面の一部に１枚の平板で構成した操作パネルを設け、前記操作パネルの裏側に圧電素子を用いた操作スイッチを取り付け、前記外郭の前面には、前記操作パネル以外の部分に運転状態を表示する表示部を設けたことを特徴とする。
【００１４】
この構成により、操作パネルを平板で構成することができるため操作パネル面には凹凸がなくなり、掃除性の良いレンジフードを提供できる。
【００１５】
また、前記外郭の一部に開口を設けこの部分に表示部を設けたものである。
【００１６】
また、前記外郭の前面を一体の金属板に構成し、その一部を開口して表示部を設けたものである。
【００１７】
また、表示部を覆うように透明のカバーを設けたものである。
【００１８】
この構成により、操作パネルに表示部を設けても操作パネルを平面とすることができ、掃除性を確保することができる。
【００１９】
以下、本発明の実施の形態について図面を参照しながら説明する。
【００２０】
（実施の形態１）
図１に示すように、第一の実施の形態のレンジフードは、板金製の外郭１と、前面に設けられた板金製の平板２と、平板２の表側に設けられた操作パネル３と、平板２の裏側に設けられた圧電スイッチ４と、運転状態を表示する表示部５を有している。また、図示しないが、レンジフード本体には、送風機が内蔵されている。さらに、レンジフードは、レンジフードの下方を照らすようにランプが内蔵されていることもある。
【００２１】
ここで、平板２の表側とは、レンジフード本体の表面側を指し、平板２の裏側とはレンジフード本体の内側を指す。
【００２２】
また、操作パネル３は、平板２の上に電源の入り切りや運転、停止をする際に指で触れる部分を明示したものである。この操作パネル３を操作することによって、送風機の運転および強弱のノッチ変更、あるいは、ランプの点灯・消灯を行う。圧電スイッチ４は操作パネル３の各操作部が明示された箇所の裏側にそれぞれ設置する。
【００２３】
圧電スイッチ４は圧力を電圧に変換する素子である。圧電スイッチ４が配置された部分の平板２の表側を指で触れると指の平板２への圧力により電圧が発生し、その発生した電圧によりスイッチ操作を認識するものである。
【００２４】
この圧電スイッチ４を使用すれば、他の種類のスイッチでは必要となる平板２の表面への穴加工が不要となる。
【００２５】
また、この操作パネル３は、平板２上に直接インクで記載するか、あるいは、印刷物を貼ることによって、スイッチの案内を表示させている。従って、操作パネル３の表面は、フラットで凹凸部分をなくしている。
【００２６】
一方、表示部５には製品への通電の有無や運転の有無などの表示をさせる。表示には通常は光源を用いて、その点灯により運転状態などの表示を行う。
【００２７】
その光源は、光源の充電部を露出させないために外郭１の内側に設ける必要があり、外郭１にはその光を通すための穴加工が必要となる。表示部５を操作パネル３に設けると、掃除をする際に光源用の穴に汚れが残るため掃除性を確保できない。そこで、この表示部５を操作パネル３以外の場所に設けるようにする。
【００２８】
上記のように、スイッチ素子として圧電スイッチ４を用い、板金製の平板２の裏側に圧電スイッチを設けたことによって、操作パネル３をフラットにすることができ、掃除性を確保することができる。すなわち、操作パネル３は、板金製の平板２を押圧することによって、操作を行うものであるので、その操作面は平坦な板金となっている。従って、この操作面は、掃除し易く、凹凸箇所に見られるような、拭き残しなどを無くすことができる。
【００２９】
図１は表示部５の配置の例であり、操作パネル３以外の場所で視認性が良い箇所であればどの位置に設置してもかまわない。
【００３０】
また、図２は操作パネル３の断面図を示したものである。
【００３１】
ここでは平板２は、外郭１とネジで固定する構造としているが、他の固定方法でもその効果に差異はない。あるいは、平板２を外郭１の一部としてもよい。
【００３２】
表示部５を外郭１に配置するためには外郭１に開口をあける必要がある。ここでは、その開口部に折りまげを設けて表示部５をそこで受けネジ止めする構造としているが、表示部５の固定方法は別の方法であってもその効果に差異を生じない。
【００３３】
さらに、操作パネル３以外の場所であれば、外郭１そのものに表示部５の光を通すための穴加工を設けてもその効果に差異を生じない。
【００３４】
また、図３に示すように、外郭１のうちの前面を全て１枚の板金６で構成してもよい。すなわち、図３の斜線の部分が板金６であり、一枚の板金を折り曲げた構造となっている。板金６に操作パネル３と表示部５を設けるにあたり、表示部５は、操作パネル３以外の場所に置くようにする。
【００３５】
また、図４に操作パネルの断面図を示す。板金６は、外郭１にネジで固定する方法としているが、他の固定方法であってもその効果に差異は生じない。
【００３６】
また、図５と図６に示すように、表示部５を操作パネル３の近傍におき、その上に透明カバー７を設けてもよい。
【００３７】
透明カバー７をつけることにより表示部５の穴加工部分の凹部分がなくなるため、表示部５を掃除しても汚れが残ることはない。
【００３８】
従って、表示部５を操作パネル３の近傍に配置することができる。
【産業上の利用可能性】
【００３９】
本発明のレンジフードは掃除性に優れたレンジフードを提供できるため家庭用の用途のほか、食堂やホテルなどの業務用の用途などにも適用できる。
【符号の説明】
【００４０】
１  外郭
２  平板
３  操作パネル
４  圧電スイッチ
５  表示部
６  板金
７  透明カバー
【図１】
2016065688.tif 000003
【図２】
2016065688.tif 000004
【図３】
2016065688.tif 000005
【図４】
2016065688.tif 000006
【図５】
2016065688.tif 000007
【図６】
2016065688.tif 000008
【図７】
2016065688.tif 000009
【図８】
2016065688.tif 000010